(57)【要約】【課題】インク滴を効率良く飛翔するとともに均一な液量のインク滴を再現性よく飛翔できる音響インク塗布装置を提供する。【解決手段】音波を発生させる音波発生手段と、音波発生手段で発生した音波を音波集束位置に集束させるための音波集束手段と、音波集束手段で集束した音波を音波集束手段の前方に進行させるための音波伝達部材と、音波集束位置を含む音波伝達部材表面に配置されたフィルムと、フィルムの音波伝達部材と反対側の面に形成され、集束した音波ビームによりインク滴として飛翔されるインク層とを具備し、インク層はフィルム表面に音波集束位置における音波ビームを横切って形成され、かつ音波ビームの幅よりも狭い幅を持つ細線状またはドット状をなすことを特徴とする音響インク塗布装置。【選択図】      図１
2010214259.tif 000002
【特許請求の範囲】
【請求項１】
集束した音波ビームによりインク滴を飛翔させる音響インク塗布装置であって、
音波集束位置に配置されるインク保持部材と、
前記インク保持部材の前記音波が照射される面と反対側の面に形成されたインク層と
を具備し、
前記インク層は、前記インク保持部材の面に前記音波集束位置における音波ビームを横切って形成され、かつ前記音波ビームの幅よりも狭い幅を持つ細線状またはドット状をなすことを特徴とする音響インク塗布装置。
【請求項２】
音波を発生させる音波発生手段と、
前記音波発生手段で発生した音波を音波集束位置に集束させるための音波集束手段と、
前記音波集束手段で集束した音波を前記音波集束手段の前方に進行させるための音波伝達部材と、
前記音波集束位置を含む前記音波伝達部材表面に配置されたフィルムと、
前記フィルムの前記音波伝達部材と反対側の面に形成され、集束した音波ビームによりインク滴として飛翔されるインク層と
を具備し、
前記インク層は、前記フィルム表面に前記音波集束位置における音波ビームを横切って形成され、かつ前記音波ビームの幅よりも狭い幅を持つ細線状またはドット状をなすことを特徴とする音響インク塗布装置。
【請求項３】
前記ドット状をなすインク層は、前記音波集束位置における音波ビームの領域内に入ることを特徴とする請求項１または２記載の音響インク塗布装置。
【請求項４】
前記インク層は粒子を分散して含有することを特徴とする請求項１ないし３いずれか記載の音響インク塗布装置。
【請求項５】
前記フィルムは、前記インク層の形成領域以外に撥水処理または撥油処理が施されていることを特徴とする請求項２ないし４いずれか記載の音響インク塗布装置。
【請求項６】
前記フィルムは、前記音波のビーム幅よりも狭い細線状またはドット状の凹部が形成され、前記インク層は前記凹部内に埋没されて形成されることを特徴とする請求項２ないし５いずれか記載の音響インク塗布装置。
【発明の詳細な説明】
【技術分野】
【０００１】
本発明は、音響インク塗布装置に関し、特に音波発生素子から音波を発生させて、この音波を集束させてインク滴を飛翔させる音響インク塗布装置に関する。
【背景技術】
【０００２】
液体インクを小さな液滴として記録媒体上に飛翔させて画像を記録するインクジェット記録装置は、普通紙などに直接記録できる。また、インクジェット記録装置はインクなどの材料消費の面で低コスト化が図れ、騒音が少なく、現像や定着などの処理が不要であるなどの多くの利点を有する。そのため、最近では、紙のような画像の印刷の用途だけでなく、液状電子材料の塗布やダイレクトパターニング等の工業分野へも利用範囲を広げつつある。
【０００３】
インクジェット記録装置は、多くの方式が考案されている。代表的なインクジェット記録装置は、発熱体の熱により発生するバブルの圧力を利用して液滴を飛翔させる方式、圧電体の変位による圧力パルスで液滴を飛翔させる方式がある。
【０００４】
しかしながら、これらの方式のインクジェット記録装置は液体インクの溶媒の蒸発や揮発によってインクの濃縮が生じ易い。また、径の小さなノズルを用いると目詰まりが発生し、インク滴の飛翔に支障を生じる。そのため、高精細な画像記録にはノズルの目詰まり防止のためノズル洗浄手段を付加したり、目詰まりの発生が少ないインク材料を選定して使用したり、する必要が生じ、使用範囲が限定される。さらに、工業分野への応用では、種々の粒子（金属または酸化物の粒子）を混合したインクが使用されることもある。この場合には、ノズルの目詰まりがより顕著となる。
【０００５】
これに対して、振動子から発生する音波を集束させてその音圧でインク液面からインク滴を吐出させる超音波方式のインクジェット記録装置が提案されている（非特許文献１）。この方式はノズルを必要とせず、非常に小さな径のインク滴を飛翔させることができる。このため、高解像度化にも適し、使用できるインク材料に対する制約も少ない、利点を有する。
【０００６】
しかしながら、工業分野で用いられるような粘度の高いインクは概して音波の減衰も大きく、液滴の飛翔に大きなパワーが必要となる。粘度が著しく高いインクの場合は飛翔できない問題も生じる。また、例えばインクの消費に伴うインクの液面変動により振動子から発生する音波を集束させる位置（音波集束位置）のずれが発生し、結果的にインクが飛翔しなくなる。このような場合は、液面変動に対処するためのヘッド位置の調整機構が必要となり、装置の複雑化を招く。
【０００７】
これらの問題を回避する手段として、特許文献１では音波の進行路部分に音波を伝える物質を用いてインク層を薄くする技術が提案されている。しかしながら、特許文献１に記載の技術では、薄層にインクを供給しなければならない。このため、粘度の高いインクを細い隙間に送り込むこと自体が困難になる。多数の開口があるためにヘッド全体にインクを行き渡らせることも困難になる。また、多数の開口があるために、上方へのインクの飛翔は可能であるが、下方へのインクの飛翔はインク漏れ対策が必要となる。水平方向へのインクの飛翔は、上部と下部に水圧差が生じるためインク流量調整が極めて困難となり、構造も複雑になる。
【０００８】
このようなことから、特許文献２には前記特許文献１の抱える課題を解決することを目指し、予めフィルム上に薄いインク層を形成し、そのフィルムを回転機構で音波伝播物質上を搬送させることによって、インクの供給とインクの塗布を分離させる技術が提案されている。フィルム上に予め厚さの整ったインク層を形成することによって、液面変動に対処するためのヘッド位置の調整機構が不要で、インクの飛翔方向を任意に選べる、利点を有する。また、特許文献３にはインク中から沈降する粒状物やその他の付着物が音響レンズの凹部に堆積し、音響ビームの集束外れを引き起こすことを回避するために、前記音響レンズ凹部に予め固体材料を充填して面一化することが開示されている。この特許文献３の発明では、プリントヘッドをインク中に浸漬することを回避するために、インクを配した移動担持体を前記面一化上面に当接させるといった構成も含まれている。しかしながら、移動担持体に配するインク形態に関する記述はない。
【先行技術文献】
【特許文献】
【０００９】
【特許文献１】特開平６−２３８８８４号公報
【特許文献２】特開２００８−１０５３９６号公報
【特許文献３】特開昭６３−１６６５４７号公報
【非特許文献】
【００１０】
【非特許文献１】J. Appl. Phys. 65 (9), 3441, 1989
【発明の概要】
【発明が解決しようとする課題】
【００１１】
本発明は、特許文献２に記載の発明をさらに改良することによりインク滴を効率良く飛翔するとともに、均一な液量のインク滴を再現性よく飛翔できる音響インク塗布装置を提供することを目的とする。
【課題を解決するための手段】
【００１２】
本発明によると、集束した音波ビームによりインク滴を飛翔させる音響インク塗布装置であって、
音波集束位置に配置されるインク保持部材と、
前記インク保持部材の前記音波が照射される面と反対側の面に形成されたインク層と
を具備し、
前記インク層は、前記インク保持部材の面に前記音波集束位置における音波ビームを横切って形成され、かつ前記音波ビームの幅よりも狭い幅を持つ細線状またはドット状をなすことを特徴とする音響インク塗布装置が提供される。
【００１３】
本発明によると、音波を発生させる音波発生手段と、
前記音波発生手段で発生した音波を音波集束位置に集束させるための音波集束手段と、
前記音波集束手段で集束した音波を前記音波集束手段の前方に進行させるための音波伝達部材と、
前記音波集束位置を含む前記音波伝達部材表面に配置されたフィルムと、
前記フィルムの前記音波伝達部材と反対側の面に形成され、集束した音波ビームによりインク滴として飛翔されるインク層と
を具備し、
前記インク層は、前記フィルム表面に前記音波集束位置における音波ビームを横切って形成され、かつ前記音波ビームの幅よりも狭い幅を持つ細線状またはドット状をなすことを特徴とする音響インク塗布装置が提供される。
【発明の効果】
【００１４】
本発明によれば、インク滴を効率良く飛翔するとともに、均一な液量のインク滴を再現性よく飛翔できる音響インク塗布装置を提供できる。
【図面の簡単な説明】
【００１５】
【図１】実施形態に係る音響インク塗布装置を示す断面図。
【図２】図１の音響インク塗布装置に組み込まれるフィルムを示す上面図。
【図３】図１の音響インク塗布装置に組み込まれる他の形態のフィルムを示す上面図。
【図４】図１の音響インク塗布装置に組み込まれるさらに他の形態のフィルムを示す断面図。
【図５】従来の音響インク塗布装置に組み込まれるフィルムを示す上面図。
【発明を実施するための形態】
【００１６】
以下、本発明の実施形態に係る音響インク塗布装置を詳細に説明する。
【００１７】
実施形態に係る音響インク塗布装置は、集束した音波によりインク滴を飛翔させる音響インク塗布装置であって、音波集束位置に配置されるインク保持部材を備える。インク保持部材の音波が照射される面と反対側の面には、インク層が形成されている。インク層は、インク保持部材の面に音波集束位置における音波ビームを横切って形成され、かつ前記音波ビームの幅よりも狭い幅を持つ細線状またはドット状をなす
実施形態の好ましい音響インク塗布装置は、次のような構造を有する。
【００１８】
音響インク塗布装置は、音波を発生させる音波発生手段と、音波発生手段で発生した音波を音波集束位置に集束させるための音波集束手段と、音波集束手段で集束した音波を音波集束手段の前方に進行させるための音波伝達部材と、音波集束位置を含む前記音波伝達部材表面に配置されたフィルムと、フィルムの音波伝達部材と反対側の面に形成され、集束した音波ビームによりインク滴として飛翔されるインク層とを具備する。インク層は、フィルム表面に前記音波集束位置における音波ビームを横切って形成され、かつ音波ビームの幅よりも狭い幅を持つ細線状またはドット状をなす。
【００１９】
ここで、「音波ビームの幅」とは音波ビームが円形の場合、直径を意味し、音波ビームが矩形の場合、短辺を意味する。
【００２０】
次に、実施形態の好ましい音響インク塗布装置を図１、図２を参照して詳細に説明する。図１は、音響インク塗布装置の断面図、図２は図１の音響インク塗布装置に組み込まれるフィルムの上面図である。
【００２１】
容器１の底面には、音波を発生させる音波発生手段である例えば円盤状振動素子２が配置されている。音波を集束させる音波集束手段である音波集束部材３は、容器１底部内に配置されている。音波を進行させる音波伝達部材４は、音波集束部材３上部の容器１内に配置されている。フィルム５は、音波集束部材３で音波を集束させる音波集束位置６を含む音波伝達部材４表面に一方向に移動可能に配置されている。集束した音波ビームによりインク滴として飛翔されるインク層７は、図２に示すようにフィルム５の音波伝達部材４と反対側の面に音波集束位置６における音波ビーム（例えば円形音波ビーム）８を横切って形成されている。インク層７は、円形音波ビームの幅（直径）よりも狭い幅を持つ細線状をなす。また、細線状のインク層７はフィルム５の移動方向に平行してフィルム５表面に配置されている。
【００２２】
円盤状振動素子２は、例えば円盤状の圧電体１１とこの圧電体１１の上下面に形成された円盤状の電極１２ａ，１２ｂとから構成されている。圧電体１１は、例えばチタン酸ジルコン酸鉛（ＰＺＴ）、チタン酸鉛、チタン酸バリウムのような圧電セラミックス；ニオブ酸カリウム、ニオブ酸リチウム、タンタル酸リチウム、マグネシウム・ニオブ酸鉛とチタン酸鉛の複合酸化物、インジウム・ニオブ酸鉛とチタン酸鉛の複合酸化物のような圧電単結晶；ポリフッ化ビニリデン（ＰＶＤＦ）のような高分子圧電体；または酸化亜鉛のような圧電半導体；を用いることができる。電極１２ａ，１２ｂには、振動素子２を駆動するための駆動回路９が接続されている。駆動回路９は外部から入力される画像記録データに基づき、圧電体１１を駆動して音波を発生させる。なお、振動素子２は単一構造の他に、一次元のアレイ状に配列したり、二次元のアレイ状に配列したり、してもよい。
【００２３】
音波集束部材３は、振動素子２により発生した音波を音波集束位置６に集束させる役割を担う。音波集束部材３は、例えばガラスの上面（音波伝達部材４側の面）を円弧状に研磨した凹面レンズを用いることができる。音波集束部材３の材質は、ガラスの他に、アルミナのような無機系材料、エポキシ樹脂を用いることができる。また音波集束部材３は、音波伝達部材４側の面に金属膜または金属系酸化膜、窒化膜、ポリオレフィン系樹脂膜を被覆する表面処理を施して耐久性を向上させたものでもよい。音波集束部材３の音響インピーダンスは、振動素子２を構成する圧電体１１の音響インピーダンス（ＺＰ）と音波伝達部材４の音響インピーダンス（ＺＬ）の中間値であり、その幾何平均［√（ＺＰ・ＺＬ）］に近いことが音波の効率的な伝播のためには望ましい。
【００２４】
音波伝達部材４は、音波集束部材３で集束しつつある音波が進行する部分で、容器１内に収納される音波伝達物質から作られる。音波伝達物質は、音波減衰の小さいものが好ましく、例えば水のような液体が好適である。
【００２５】
このような容器１、振動素子２、音波集束部材３および音波伝達部材４によりヘッドユニット１０を構成している。
【００２６】
一方向に移動可能なフィルム５は、駆動機構（図示せず）を用いて音波伝達部材４の表面に沿って搬送される。フィルム５の厚さは、特に規定しないが、その表面のインク層７に発生された音波が効率良く伝播するように薄い方が望ましい。フィルム５の材質も特に規定しないが、耐溶剤性の良好なポリイミドが好ましい。また、フィルム５はインク層７の形成領域以外の領域に撥水処理または撥油処理が施されていることが望ましい。
【００２７】
インク層７は、図２に示す細線状に限らず、図３に示すように音波ビーム８の幅よりも狭い幅を持つドット状でもよい。このようなドット状のインク層７は、細線状のインク層７と同様、フィルム５の音波伝達部材４と反対側の面に音波集束位置６における音波ビーム（例えば円形音波ビーム）８を横切って形成される。また、ドット状のインク層７はフィルム５の移動方向に平行してフィルム５表面に配置される。ドットの長さは、特に制限されないが、円形音波ビームの直径よりも短くすることが好ましい。すなわち、１つのドット状インク層７は円形音波ビーム８の領域内に納まる大きさにすることが好ましい。
【００２８】
また、インク層７は図４に示すようにフィルム５に音波集束位置における音波ビーム８を横切って音波ビーム８の幅よりも狭い細線状の凹部１３を形成し、この凹部１３内にインクを埋没させてインク層７を形成してもよい。凹部は、細線状の他にドット状にしてもよい。
【００２９】
このような細線状またはドット状のインク層７の幅は、例えば音波ビーム８の幅の５／１０〜９／１０の幅にすることが好ましい。
【００３０】
インク層７は、例えばフィルム５の上部に設置されたスクリーン印刷装置、ディスペンス装置のような既存の塗布手段でフィルム５上に塗布することにより形成できる。また、同様な手段を用いてインクを塗布したフィルムを別途準備して、ヘッドユニット１０に設置してもよい。
【００３１】
塗布するインクは、フィルム５上で流れが生じない程度の粘度を有することが好ましい。ただし、塗布するインクの粘度が低い場合でも、前述のようにインク層の形成領域以外の領域に撥水処理または撥油処理を施すことによってインクの流れを抑止することができる。
【００３２】
インク層７には、金属粒子、酸化物粒子のような粒子を分散させることを許容する。金属粒子は、例えば金、銀、銅、ニッケル、白金を用いることができる。酸化物粒子は例えばシリカ（ＳｉＯ2）や二酸化チタン（ＴｉＯ2）、また、赤、緑、青、黄色の蛍光体材料およびそれらを組み合わせた混合物を用いることができる。粒子の平均粒径は、５〜５０μｍであることが好ましい。このように小さい粒径の粒子を分散させたインクは、容易に飛翔できる。
【００３３】
インクの飛翔後にフィルム５上に残留するインクを回収して再利用するために、例えばスクレーパ（図示せず）を用いることができる。スクレーパは、材質は特に問わないが、フィルム５との摩擦が大きいと安定的に駆動できないため、金属または摩擦の小さいゴムが好ましい。インクの再利用については、回収されたインクを収納して濃縮しない処理、例えば攪拌、添加剤追加、凝集物不純物濾過を行ってもよい。また、回収したインクに新しいインクを添加する再使用型でもよい。
【００３４】
次に、図１、図２に示す音響インク塗布装置の作用を説明する。
【００３５】
画像記録データを駆動回路９に入力すると、円盤状振動素子２の圧電体１１が駆動して音波を発生する。音波は、音波集束部材３で集束され、音波伝達部材４を進行して音波集束位置６に集束する。集束された円形音波ビーム８の圧力によって音波集束位置６を含む音波伝達部材４表面に配置されたフィルム５のインク層７の液面にメニスカスが生成され、インク滴に分離し飛翔する。集束した円形音波ビーム８でインク層７からインク滴として飛翔させる際、インク層７をフィルム５に音波集束位置６における円形音波ビーム８を横切り、円形音波ビーム８の幅よりも狭い幅を持つ細線状に形成することによって、小さいエネルギーでインク層７から均一な液量のインク滴を再現性よく飛翔させて被塗布物に塗布できる。
【００３６】
すなわち、超音波方式のインクジェットではインク液面に音波を集束させてその音圧でインク液面からインク滴を吐出させるため、焦点が結ばれるインク液面上では音圧分布を有する。一般的に、焦点近傍における音波ビーム幅は下式で表される。
【００３７】
Ｗ＝Ａ×λ×Ｆ／Ｄ
ここで、Ｗ：ビーム幅、Ａ：音波発生振動子の形状に関わる定数（円盤状振動子の場合、２．４４）、λ：波長、Ｆ：焦点距離、Ｄ：口径である。
【００３８】
ビーム幅（円盤状振動素子の場合はビーム径）の範囲において最大の音圧が得られ、その範囲外では音圧は低下する。焦点中央が隆起し、インクの表面張力に音圧が打ち勝った時点で液滴が分離して飛翔するのが超音波方式のインクジェットの原理である。
【００３９】
特許文献２に記載の図５のように音波集束位置を含む領域にフィルム２１を配置し、フィルム２１表面にインク層２２を音波集束位置における円形音波ビーム２３の直径よりも広い領域に渡って形成すると、集束された音波ビーム２３の全ての円周外縁にインク層２２が存在する。このため、円形音波ビーム２３でインク層２２を隆起させてインク滴を形成する際、隆起したインクのすそ野は全て飛翔されないインク層と結合する。その結果、インク滴の形成にあたっては隆起したインクのすそ野の全体と結合した飛翔されないインク層の結合力を絶つ大きなエネルギーを付与することが必要になる。すなわち、インク滴の形成・分離に大きなエネルギーが必要になる。特に、インク層の粘度が上昇すると、インク滴の形成・分離に必要なエネルギーがより一層大きくなる。
【００４０】
また、隆起したインクのすそ野の全体と結合した飛翔されないインク層の結合力を絶って液滴を形成するため、その結合境界で液滴側へのインクの持ち出し量が変動して、結果的に飛翔するインク滴の量がばらつく。
【００４１】
さらに、インク層２２に粒子が分散された場合、円形音波ビーム２３の音圧変動の大きい円周全体にインク層２２が存在するため、粒子が円形音波ビーム２３の円周に位置する確率を増大させる。その結果、円形音波ビーム２３の円周において粒子がインク滴に含まれて飛翔する状況と粒子がインク層２２に取り残される状況の頻度が安定しないため、インク滴の径（液量）のばらつきが起こり易くなる。特に、飛翔するインク滴の大きさに対して比較的大きい粒子が分散されたインク層では、この現象が顕著になる。
【００４２】
このようなことから図２に示すようにフィルム５の音波集束位置６に円形音波ビーム８を横切って円形音波ビーム８の幅よりも狭い幅を持つ細線状のインク層７を形成することによって、集束した円形音波ビーム８でインク層７を隆起させてインク滴を形成する際、隆起したインクのすそ野の一部（細線状のインク層７の長手方向の辺）は飛翔されないインク層７と結合が絶たれる。つまり、前述した図５に示す形態に比べて隆起したインクと飛翔されないインク層７との間の結合力を低くすることができる。その結果、小さいエネルギーで隆起したインクを飛翔されないインク層との結合力を絶ってインク滴を形成できる。すなわち、小さいエネルギーでインク滴の形成・分離を行うことができる。
【００４３】
また、隆起したインクと飛翔されないインク層７との結合力を低くできるため、円形音波ビーム８内のインク層７から飛翔するインク滴の液量変動を阻止できる。その結果、均一な液量のインク滴を再現性よく飛翔できる。
【００４４】
さらに、図２に示すように細線状のインク層７に粒子を分散させた場合、円形音波ビーム８の音圧変動の大きい円周の一部にインク層７が存在しないため、粒子が円形音波ビーム８の円周に位置する確率を低下できる。その結果、円形音波ビーム８の円周において粒子がインク滴に含まれて飛翔する状況と粒子がインク層７に取り残される状況の頻度が安定するため、インク滴径（液量）のばらつきを抑え、均一な液量のインク滴（粒子分散インク滴）を再現性よく飛翔できる。
【００４５】
図３に示すようにフィルム５の音波集束位置６に円形音波ビーム８を横切って円形音波ビーム８の幅よりも狭い幅を持つドット状のインク層７を形成すると共に、１つのドット状インク層７を円形音波ビーム８の円周領域内に位置させることによって、円形音波ビーム８でインク層７を隆起させてインク滴を形成する際、廻りのインク層７との結合力の影響を受けないため、より一層小さいエネルギーでインク滴の形成・分離を行うことができる。また、インク層７への粒子の分散の有無に関係なく、円形音波ビーム８内のドット状インク層７の全てをインク滴に形成できるため、均一な液量のインク滴を再現性よく飛翔できる。
【００４６】
さらに、フィルム５の音波集束位置６に音波ビーム８の幅よりも狭い幅を持つ細長状またはドット状のインク層７を形成することによって、フィルム５に供給するインク量を低減でき、低コスト化を図ることができる。
【符号の説明】
【００４７】
１…容器、２…振動素子、３…音波集束部材、４…音波伝達部材、５…フィルム、６…音波集束位置、７…インク層、８…音波ビーム。
【図１】
2010214259.tif 000003
【図２】
2010214259.tif 000004
【図３】
2010214259.tif 000005
【図４】
2010214259.tif 000006
【図５】
2010214259.tif 000007